(57)【要約】  【課題】  複数の選択肢をそれぞれ有する複数の設定条件を設定する際にユーザが行なうキー操作を簡略化した画像処理装置を提供する。  【解決手段】  複数の選択肢をそれぞれ有する複数の設定条件を一括で設定したい場合、ユーザは、一括設定画面の指示に従って、それぞれの設定条件について設定すべき選択肢に割り当てられた設定コードを所定の順序で入力する。全ての設定コードの入力が完了した場合、ユーザがＯＫボタンを操作することにより、複合機の制御部は、入力された設定コードを取得し、所定の順序にてそれぞれの設定条件の設定を行なう。【選択図】      図３
2005260505.tif 000002
【特許請求の範囲】
【請求項１】
複数の選択肢をそれぞれ有する複数の画像処理に係る設定条件に基づいて画像を処理する画像処理装置において、
それぞれの設定条件について選択すべき選択肢を示す情報を所定の順序で受け付ける受付手段と、
該受付手段が受け付けた情報に基づいて、それぞれの設定条件の選択肢から１つの選択肢を選択する選択手段と
を備えることを特徴とする画像処理装置。
【請求項２】
複数の選択肢をそれぞれ有する複数の画像処理に係る設定条件に基づいて画像を処理する画像処理装置において、
複数の前記設定条件のそれぞれに対応する選択肢を示す所定桁の情報を複数含む複数桁の設定コードを受け付ける受付手段と、
該受付手段が受け付けた複数桁の設定コードから、前記設定条件のそれぞれに対応する情報を抽出する抽出手段と、
該抽出手段が抽出した情報に基づいて、前記設定条件のそれぞれに対応する選択肢を選択する選択手段と
を備えることを特徴とする画像処理装置。
【請求項３】
前記選択手段が選択した前記設定条件のそれぞれに対応する選択肢を一覧形式で出力する出力手段を備えることを特徴とする請求項２に記載の画像処理装置。
【発明の詳細な説明】
【技術分野】
【０００１】
本発明は、複数の選択肢を有する設定条件を設定する際の操作を容易に行なうことが可能な画像処理装置に関するものである。
【背景技術】
【０００２】
近年、プリンタ機能を有する複写機にファクシミリ機能を搭載した複合機が普及しており、このような装置においては、プリンタ機能の拡張に伴い、カラー複写機能及びカラーファクシミリ通信機能等も搭載されつつある。このような多機能化が進む装置は、夫々の機能における各種の条件を適切に設定されることにより、ユーザが所望する条件にて各種の機能を有効に実行させることができる。
【特許文献１】特開平５−２３５８５７号公報
【発明の開示】
【発明が解決しようとする課題】
【０００３】
一方、上述したような装置における各種の設定条件は、各装置を動作させる前に初期設定として設定しておく必要がある場合が多く、多くの装置では、各設定条件毎に対応する設定画面を表示させ、順次設定画面を切り替えて設定しなければならない。従って、作業に慣れたサービスマンが行なった場合であっても十分な作業時間が必要であり、初期設定の作業に慣れていないユーザにとっては非常に煩雑なキー操作であるという問題がある。そこで、特許文献１で開示されているように、各種の設定条件をバーコードから読み取って設定する装置も提案されているが、電子機器としての通常の動作に利用されるハードウェア各部を用いて各種の設定条件の設定作業を簡略化することが要求されている。
【０００４】
本発明は斯かる事情に鑑みてなされたものであり、複数の選択肢をそれぞれ有する複数の設定条件の設定処理について、ユーザが行なうキー操作を簡略化した画像処理装置を提供することを目的とする。
【課題を解決するための手段】
【０００５】
本発明に係る画像処理装置は、複数の選択肢をそれぞれ有する複数の画像処理に係る設定条件に基づいて画像を処理する画像処理装置において、それぞれの設定条件について選択すべき選択肢を示す情報を所定の順序で受け付ける受付手段と、該受付手段が受け付けた情報に基づいて、それぞれの設定条件の選択肢から１つの選択肢を選択する選択手段とを備えることを特徴とする。
【０００６】
本発明による場合は、複数の選択肢をそれぞれ有する複数の設定条件のそれぞれについて、設定すべき選択肢を示す情報を所定の順序で受付手段から受け付け、受け付けた情報に基づいて、それぞれの設定条件における選択肢から１つの選択肢を選択手段によって選択することにより、複数の設定条件についての設定処理を受付手段による１回の受付処理に基づいて行なうことが可能となる。
【０００７】
本発明に係る画像処理装置は、複数の選択肢をそれぞれ有する複数の画像処理に係る設定条件に基づいて画像を処理する画像処理装置において、複数の前記設定条件のそれぞれに対応する選択肢を示す所定桁の情報を複数含む複数桁の設定コードを受け付ける受付手段と、該受付手段が受け付けた複数桁の設定コードから、前記設定条件のそれぞれに対応する情報を抽出する抽出手段と、該抽出手段が抽出した情報に基づいて、前記設定条件のそれぞれに対応する選択肢を選択する選択手段とを備えることを特徴とする。
【０００８】
本発明による場合は、複数の設定条件のそれぞれに対応する選択肢を示す所定桁の情報を複数含む複数桁の設定コードを受付手段から受け付け、受け付けた複数桁の設定コードから、前記設定条件のそれぞれに対応する情報を抽出手段によって抽出し、抽出した情報に基づいて、前記設定条件のそれぞれに対応する選択肢を選択手段によって選択する。よって、受付手段による１回の受付処理により受け付けた複数桁の設定コードに基づいて、複数の設定条件のそれぞれに対応する設定処理を行なうことが可能となる。
【０００９】
本発明に係る画像処理装置は、前記選択手段が選択した前記設定条件のそれぞれに対応する選択肢を一覧形式で出力する出力手段を備えることを特徴とする。
【００１０】
本発明による場合は、上述のように受付手段によって受け付けた情報に基づいて、それぞれの設定条件に応じて設定された選択肢を出力手段によって一覧形式で出力することにより、ユーザによる複数桁の設定コードの入力によって設定されたそれぞれの設定条件をユーザが確認することが可能となる。
【発明の効果】
【００１１】
本発明によれば、複数の選択肢をそれぞれ有する複数の設定条件について、ユーザは、それぞれの設定条件に対して設定すべき選択肢を示す情報を所定の順序で入力し、この情報を受け付けた装置は、前記情報に基づいてそれぞれの設定条件における選択肢から１つの選択肢を選択して設定することにより、各種の設定条件を設定するユーザが行なうキー操作を簡略化することができる。また、ユーザが、複数の設定条件のそれぞれに対応する選択肢を示す所定桁の情報を複数含む複数桁の設定コードを入力することにより、この設定コードを受け付けた装置は、前記設定コードから、設定条件のそれぞれに対応する情報を抽出し、設定条件のそれぞれに対応する選択肢を選択して設定することにより、各種の設定条件を設定するユーザが行なうキー操作を簡略化することができる。
【００１２】
本発明によれば、上述のように設定されたそれぞれの設定条件に対する選択肢を一覧形式で出力することにより、ユーザが複数桁の設定コードを入力することによって設定されたそれぞれの設定条件を、例えば表示することができ、または記録用紙に画像出力することができる。従って、ユーザは、自身が設定した各設定条件を確認することができ、また、各装置における初期設定情報として保管することができる。
【発明を実施するための最良の形態】
【００１３】
以下に、本発明に係る画像処理装置を、複合機における実施の形態を示す図面に基づいて詳述する。図１は本発明に係る複合機の構成例を示すブロック図であり、図中１は複合機を示している。この複合機１は、制御部１０、ＲＯＭ１１、ＲＡＭ１２、ＮＣＵ(Network Control Unit)１３、モデム１４、読取部１５、画像処理部１６、画像メモリ１７、操作パネル１８、通信インタフェース１９、記録部２０等を備えており、夫々はバス２１を介して相互に接続されている。
【００１４】
制御部１０は、具体的にはＣＰＵ(Central Processing Unit) 又はＭＰＵ（Micro Processor Unit）等で構成されており、バス２１を介して接続される上述したようなハードウェア各部を制御すると共に、ＲＯＭ１１に格納された制御プログラムに従って、種々のソフトウェア的機能を実現する。ＲＯＭ１１は、本実施の形態に係る複合機１としての動作に必要な種々の制御プログラムを予め記憶している。また、ＲＡＭ１２は、ＳＲＡＭ又はフラッシュメモリ等で構成され、制御部１０による制御プログラムの実行時に発生するデータを一時的に記憶する。なお、後述するようにユーザにより設定される各種の設定条件は、ＲＡＭ１２に記憶される。
【００１５】
モデム１４は、ファクシミリ通信が可能なファックスモデムで構成されており、ＮＣＵ１３と直接的にも接続されている。ＮＣＵ１３は、公衆電話回線網Ｌと接続されており、必要に応じてモデム１４を公衆電話回線網Ｌと接続し、公衆電話回線網Ｌを介して外部の装置との間でのファクシミリ通信を可能としている。通信インタフェース１９は、図示しないネットワークを介して接続される外部のコンピュータ等の装置との間で画像データを送受信する。
【００１６】
読取部１５は、例えばＣＣＤ(Charge Coupled Device)を利用したスキャナで原稿を読み取り、取得した画像データを画像処理部１６へ入力する。画像処理部１６は、読取部１５から取得した画像データに所定の画像処理を行なって画像メモリ１７に記憶させる。画像メモリ１７は、ＤＲＡＭ等により構成されており、画像処理部１６から取得した画像データを記憶する。操作パネル１８は、複合機１の操作のために必要な情報を表示する液晶パネル等の表示部と、ユーザの操作により制御命令などの情報が入力されるタッチパネル又はテンキー等の入力部とにより構成してある。
【００１７】
記録部２０は、電子写真方式のプリンタ装置であって、画像メモリ１７に記憶してある画像データを、ハードコピーとしてＡ３縦，Ｂ４縦，Ａ４縦，Ｂ５横及びＡ５横等の各サイズの記録紙又はＯＨＰシートから最適なサイズのものを選択して記録する。
【００１８】
上述した構成の複合機１では、例えば電源投入時にユーザによって各種の設定条件を設定するように構成されており、図２に示すような条件設定画面が操作パネル１８に表示される。図２及び図３は各種の設定条件の設定を行なうための条件設定画面の構成例を示す模式図である。本実施の形態の複合機１においては、ユーザによる設定が可能な設定条件として、例えば読取処理、受信処理、送信処理、画像出力処理、管理処理のそれぞれについての設定条件が用意されている。従って、図２（ａ）に示す条件設定画面には、各種の条件を設定したい処理の選択を行なうための「読取処理」「受信処理」「送信処理」「画像出力処理」「管理処理」の各ボタンと、設定処理の終了を指示する「終了」ボタンとが表示される。ユーザは設定条件として設定したい処理を示すボタンを操作する。
【００１９】
図２（ａ）においては送信処理ボタンが操作されており、送信処理ボタンが操作された場合、制御部１０は、図２（ｂ）に示すような送信処理に関する設定条件を設定するための設定画面を操作パネル１８に表示する。この設定画面には、例えば、メモリ送信又はスキャナ送信を設定するための「メモリ送信」ボタン、送信済みスタンプの有無を設定するための「スタンプ」ボタン、送信画像の画質を設定するための「画質」ボタン等が表示される。なお、メモリ送信ボタンについては、このボタンを操作してメモリ送信からスキャナ送信へと設定条件を変更した場合には、「スキャナ送信」の表示がされる。また、図２（ｂ）においては省略して白い四角で示してあるが、各処理における設定条件の数が多い場合には、「戻る」ボタン及び「次へ」ボタンを操作することによって表示されていない設定条件を順序表示させることができる。
【００２０】
ユーザは、設定したい設定条件を示すボタンを操作して順序表示される画面の指示に従って各種の設定条件を設定する。具体的には、ユーザによりスタンプボタンが操作された場合、制御部１０は、図２（ｃ）に示すような画面を表示する。図２（ｃ）に示す画面では、送信処理が完了した原稿に送信済みスタンプを押すか否かの設定を促す表示がなされている。ユーザは、送信済みスタンプの有無に応じて「押す」ボタン又は「押さない」ボタンを操作し、設定条件を確定するための「ＯＫ」ボタンを操作する。これにより、制御部１０は、操作された条件をＲＡＭ１２の所定箇所に記憶させることにより設定する。
【００２１】
一方、図２（ａ）に示す条件設定画面は、複合機１が行なう各種の処理を選択するためのボタンのほか、各処理における設定条件を一括して設定するための「一括設定」ボタンを表示する。ユーザにより一括設定ボタンが操作された場合、制御部１０は、図３（ａ）に示すような一括設定画面を操作パネル１８に表示する。この一括設定画面には、図２（ａ）の条件設定画面と同様に、各種の条件を設定したい処理の選択を行なうためのボタンと、図２（ａ）に示す条件設定画面に戻るための「戻る」ボタンとが表示される。
【００２２】
図３（ａ）においては送信処理ボタンが操作されており、送信処理ボタンが操作された場合、制御部１０は、図３（ｂ）に示すような送信処理に関する設定条件を一括で設定するための設定画面を操作パネル１８に表示する。この設定画面の指示に従ってユーザは、テンキー（図示せず）を用いて、複合機１が行なう送信処理に関する設定条件のそれぞれに対応する設定コード（それぞれの選択肢を示す情報）を所定の順序で入力する。
【００２３】
具体的には、１番目の設定コードとして、原稿から読み取った画像を一旦メモリに記憶させてから送信するメモリ送信処理を選択する場合には０を、原稿から読み取った画像をそのまま送信するスキャナ送信処理を選択する場合には１を入力する。また、２番目の設定コードとして、送信処理が完了した原稿に送信済みスタンプを押さない設定とする場合には０を、送信済みスタンプを押す設定とする場合には１を入力する。なお、このような各設定条件に対する入力順序、及び各設定条件に対応する設定コードは、複合機１におけるマニュアルまたはマニュアルに準ずる印刷物等に記載しておくものであり、ユーザは、これらを参照することによって、各設定条件に応じた設定コードを所定の順序で入力することができ、また、各桁（入力順序）に対応する設定条件の内容を把握することができる。
【００２４】
ユーザは、図３（ｂ）の設定画面において、それぞれの設定条件に対応する所定桁（図３（ｂ）では１桁）の設定コードを順次入力し、全部で複数桁の設定コードの入力が完了した場合、入力した設定コードを確定するために「ＯＫ」ボタンを操作する。従って、操作パネル１８は、それぞれの設定条件についてユーザが設定したい選択肢を示す設定コードを受け付ける受付手段として動作する。また、図３（ｂ）の設定画面においてＯＫボタンが操作された場合、制御部１０は、入力された複数桁の設定コードを取得し、この設定コードから、各設定条件のそれぞれに対応する設定コード（選択肢を示す情報）を抽出する抽出手段として動作する。更に、制御部１０は、入力された複数桁の設定コードから抽出した各設定条件のそれぞれに対応する設定コードに基づいて、それぞれの設定条件に対応する選択肢を選択して設定する選択手段として動作し、それぞれ選択した設定条件をＲＡＭ１２の所定箇所に順次記憶させることにより設定する。
【００２５】
上述したように設定される各設定条件は、複合機１の電流投入時における初期設定時だけでなく、複合機１の起動中において変更することもできる。図４は各種の設定条件の設定を行なうための条件設定画面の構成例を示す模式図である。上述したように既に初期設定として各設定条件が設定されている複合機１の制御部１０は、図２（ａ）に示す条件設定画面中の一括設定ボタンをユーザにより操作された場合、図３（ａ）に示すような一括設定画面を表示し、この一括設定画面中の例えば送信ボタンをユーザにより操作された場合、図４（ａ）に示すような設定画面を操作パネル１８に表示する。
【００２６】
図４（ａ）に示す設定画面は、既に設定された各設定条件に対応する設定コードを表示しており、ユーザは、表示された複数桁の設定コードにおいて、必要な設定条件に対応する桁のみを変更することができる。ユーザは、表示された複数桁の設定コードにおいて、矢印キー（図示せず）を用いて所望の設定コードを選択することができ、図４（ａ）中４で示すように変更したい設定コードに入力位置を設定する。ここで、ユーザがテンキーを用いて設定コードを入力することにより、対応する設定条件についての選択肢（設定コード）を変更することができる。
【００２７】
なお、ユーザは、変更したい設定条件を、対応する桁（入力順序）に基づいて把握することができる。また、図３（ｂ）に示すような初期設定を行なうための設定画面においても、複合機１における初期設定として予め設定されている設定条件に対応する設定コードを表示させてもよい。また、図４（ｂ）に示すように、各設定条件に対応する設定コード間にスペースを挿入することにより、入力順序に応じた各桁に対応する設定条件を容易に把握することができる。
【００２８】
以下に、上述した構成の複合機１における各種の設定条件の設定処理について説明する。図５は本発明に係る複合機１による設定条件の設定処理手順を示すフローチャートである。本実施の形態における複合機１において、制御部１０は、電源が投入された場合に、図２（ａ）に示す条件設定画面を操作パネル１８に表示する。ユーザは、条件設定画面の指示に従って、設定条件として設定したい処理を示す各ボタン又は一括設定ボタンを操作する。
【００２９】
制御部１０は、ユーザによる操作パネル１８の操作により一括設定ボタンが操作されたか否かを判断しており（Ｓ１）、一括設定ボタンが操作されていないと判断した場合（Ｓ１：ＮＯ）、即ち、設定条件を設定したい処理を示すボタンが操作された場合、図２（ｂ）に示すような選択された処理についての設定画面を操作パネル１８に表示する（Ｓ２）。また、制御部１０は、表示した設定画面において設定条件を示すボタンが操作されたか否かを判断しており（Ｓ３）、設定条件を示すボタンが操作されていないと判断した場合（Ｓ３：ＮＯ）、ステップＳ２で表示した設定画面の表示を続行する。
【００３０】
制御部１０は、設定条件を示すボタンが操作されたと判断した場合（Ｓ３：ＹＥＳ）、図２（ｃ）に示すように、選択された設定条件についての選択肢を表示する（Ｓ４）。また、制御部１０は、この表示画面に従ってユーザがＯＫボタンを操作したか否かを判断しており（Ｓ５）、ＯＫボタンが操作されたと判断した場合（Ｓ５：ＹＥＳ）、ユーザにより選択された条件をＲＡＭ１２の所定箇所に記憶させることにより設定し（Ｓ６）、図２（ａ）に示す条件設定画面を再度操作パネル１８に表示させる（Ｓ７）。なお、ステップＳ５でＯＫボタンが操作されていないと判断した場合（Ｓ５：ＮＯ）、制御部１０はステップＳ４で表示した画面の表示を続行する。
【００３１】
ユーザは、各種の設定条件の設定処理を終了する場合、図２（ａ）に示す条件設定画面において終了ボタンを操作する。従って、制御部１０は、終了ボタンが操作されたか否かを判断しており（Ｓ８）、終了ボタンが操作されていないと判断した場合（Ｓ８：ＮＯ）、ステップＳ１からＳ７までの処理を繰り返し、終了ボタンが操作されたと判断した場合（Ｓ８：ＹＥＳ）処理を終了する。
【００３２】
一方、制御部１０は、ステップＳ１で、一括設定ボタンが操作されたと判断した場合（Ｓ１：ＹＥＳ）、図３（ａ）に示すような一括設定画面を操作パネル１８に表示する（Ｓ９）。また、制御部１０は、一括設定画面に表示される各処理を示すボタンが操作されたか否かを判断しており（Ｓ１０）、各処理を示すボタンが操作されていないと判断した場合（Ｓ１０：ＮＯ）、ステップＳ９で表示した一括設定画面の表示を続行する。
【００３３】
制御部１０は、設定条件を設定したい処理を示すボタンが操作された場合（Ｓ１０：ＹＥＳ）、図３（ｂ）に示すような選択された処理についての一括設定画面を操作パネル１８に表示する（Ｓ１１）。また、制御部１０は、この一括設定画面に従ってユーザが各設定条件に対応する設定コードを入力してＯＫボタンを操作したか否かを判断しており（Ｓ１２）、ＯＫボタンが操作されたと判断した場合（Ｓ１２：ＹＥＳ）、ユーザにより入力された設定コードから、それぞれの設定条件に対応する設定コードを抽出し、抽出した設定コードに基づいて、それぞれ対応する設定条件としてＲＡＭ１２の所定箇所に記憶させることにより設定する（Ｓ１３）。なお、ステップＳ１２でＯＫボタンが操作されていないと判断した場合（Ｓ１２：ＮＯ）、制御部１０はステップＳ１１で表示した画面の表示を続行する。
【００３４】
上述したように、本発明に係る複合機１における各種の設定条件を設定する場合、ユーザは、それぞれの設定条件に対応する所定桁の設定コードを所定の順序で入力すればよく、例えば初期設定操作の簡略化を図ることができる。また、制御部（出力手段）１０は、上述のように一括で行なった設定処理における各種の設定条件を操作パネル１８へ出力して操作パネル１８に表示させるように構成してもよく、設定された設定条件を記録部２０へ出力して記録部２０によって記録用紙に画像出力するように構成してもよい。これにより、ユーザは、自身が設定した各種の設定条件を確認することができ、また、複合機１における各種の設定条件を記録用紙において管理することができる。
【図面の簡単な説明】
【００３５】
【図１】本発明に係る複合機の構成例を示すブロック図である。
【図２】条件設定画面の構成例を示す模式図である。
【図３】条件設定画面の構成例を示す模式図である。
【図４】条件設定画面の構成例を示す模式図である。
【図５】本発明に係る複合機による設定条件の設定処理手順を示すフローチャートである。
【符号の説明】
【００３６】
１  複合機（画像処理装置）
１０  制御部（抽出手段、選択手段）
１８  操作パネル（受付手段）
２０  記録部
【図１】
2005260505.tif 000003
【図２】
2005260505.tif 000004
【図３】
2005260505.tif 000005
【図４】
2005260505.tif 000006
【図５】
2005260505.tif 000007